(57)【要約】【課題】  預金者の預金口座に対して、キャッシュカードでのＡＴＭ装置による現金の引き出しや他口座への振込み操作に対する制限設定操作を必要とせず、また、複数の口座の開設を必要とせずに、キャッシュカードでのＡＴＭ装置による現金の引き出しや他口座への振込みに関した出金を管理できるようにすることを目的とする。【解決手段】  預金者の口座をキャッシュカード出金可能口座とキャッシュカード出金不可能口座に分割し、キャッシュカードでのＡＴＭ装置による現金の引き出しや他口座への振込み及び残高情報の表示操作時は、出金不可能口座には接続せず、出金可能口座にしか接続を行わない。預金者が実際にキャッシュカードを使用してＡＴＭ装置から出金を行いたい場合は、予め出金する金額を出金不可能口座から出金可能口座へ移動する。キャッシュカードでの出金時は出金可能口座の残高の範囲内でのみ出金を可能とする。【選択図】  図１
2007041734.tif 000002
【特許請求の範囲】
【請求項１】
預金者の口座番号と預金口座残高のデータを含む預金口座データを記憶する預金口座データベースを備える銀行システムに適用するキャッシュカード出金管理システムであって、
前記預金者の預金口座残高のうち、キャッシュカードを利用して出金可能な金額を示すキャッシュカード出金可能残高を格納したキャッシュカード出金可能口座データ記憶手段と、
前記預金者の預金口座残高のうち、キャッシュカードを利用して出金不可能な金額を示すキャッシュカード出金不可能残高を格納したキャッシュカード出金不可能口座データ記憶手段と、
キャッシュカードを利用した出金要求を受け付ける手段と、
前記キャッシュカードを利用した出金要求を受け付けたとき、該キャッシュカードに記録されている口座番号に対応するキャッシュカード出金可能口座データを読み出す手段と、
要求された出金額が前記キャッシュカード出金可能口座データ内のキャッシュカード出金可能残高の範囲内であれば出金を許可し、そうでないときは出金を不許可とする手段と、
出金を許可したときは、前記キャッシュカード出金可能口座データ内のキャッシュカード出金可能残高と該預金者の預金口座データ中の預金口座残高から、前記出金額分だけ減額する手段と
を備えることを特徴とするキャッシュカード出金管理システム。
【発明の詳細な説明】
【技術分野】
【０００１】
本発明は、キャッシュカードによるＡＴＭ（Ａｕｔｏｍａｔｉｃ  Ｔｅｌｌｅｒ  Ｍａｃｈｉｎｅ：現金自動預払機）での現金の引き出し及び他口座への振り込み等の出金を管理する技術に関するものである。
【背景技術】
【０００２】
近年、他人のキャッシュカードの磁気記録情報を不正に読み出して、キャッシュカードのコピーを作成し、他人の口座から不正に現金を引き落とす被害が多発している。
【０００３】
これらの犯罪行為を防止する方法としては、下記特許文献１に示すようにキャッシュカードの利用限度額を任意に設定できるようにし、預金者が随時利用限度額の変更操作を行うことによって、キャッシュカードの偽造や盗難による不正引き落としによる被害を抑える方法が考えられている。
【０００４】
また、その他の手段として、預金者が複数の口座を開設しておいて、預金を分散させておくことにより、キャッシュカードの偽造や盗難による不正引き落としによる被害を軽減する自衛手段も挙げられる。
【特許文献１】特開２００２−１９７３８１
【発明の開示】
【発明が解決しようとする課題】
【０００５】
上記特許文献１に記載の従来技術は、キャッシュカードの偽造や盗難による不正な現金の引き出しに対し、キャッシュカードにより引き出させる現金の額（利用限度額）を１日あたりもしくは１月あたりで制限することにより、預金者に対する被害を最小限に抑えることを目的としている。しかし、１日あたりなら複数の日に渡って引き出すことが可能であり、また１月あたりでもそれなりの金額を利用限度額として設定しておく必要があるため、キャッシュカードが偽造されたことに気が付かなければ被害が大きくなる恐れがある。また、利用限度額の設定操作を預金者自身が頻繁に行えば被害を抑えられるが、次第に操作がわずらわしくなり利用限度額をそのままにしてしまう恐れもある。
【０００６】
また、複数の口座を持つことによる預金の分散においても、口座毎に通帳やキャッシュカードの管理や預金の入出金管理を行わなければならず、預金者の口座管理の負担は増してしまう。
【０００７】
本発明の目的は、預金者の預金口座に対して、キャッシュカードでのＡＴＭ装置による現金の引き出しや他口座への振込み操作に対する制限設定操作を必要とせず、また、複数の口座の開設を必要とせずに、キャッシュカードでのＡＴＭ装置による現金の引き出しや他口座への振込みに関した出金を管理できるようにすることにある。
【課題を解決するための手段】
【０００８】
上記目的を達成するために、本発明のキャッシュカード出金管理システムは、預金者の口座番号と預金口座残高のデータを含む預金口座データを記憶する預金口座データベースを備える銀行システムに適用するキャッシュカード出金管理システムであって、前記預金者の預金口座残高のうち、キャッシュカードを利用して出金可能な金額を示すキャッシュカード出金可能残高を格納したキャッシュカード出金可能口座データ記憶手段と、前記預金者の預金口座残高のうち、キャッシュカードを利用して出金不可能な金額を示すキャッシュカード出金不可能残高を格納したキャッシュカード出金不可能口座データ記憶手段と、キャッシュカードを利用した出金要求を受け付ける手段と、前記キャッシュカードを利用した出金要求を受け付けたとき、該キャッシュカードに記録されている口座番号に対応するキャッシュカード出金可能口座データを読み出す手段と、要求された出金額が前記キャッシュカード出金可能口座データ内のキャッシュカード出金可能残高の範囲内であれば出金を許可し、そうでないときは出金を不許可とする手段と、出金を許可したときは、前記キャッシュカード出金可能口座データ内のキャッシュカード出金可能残高と該預金者の預金口座データ中の預金口座残高から、前記出金額分だけ減額する手段とを備えることを特徴とする。
【０００９】
キャッシュカードを利用した出金要求とは、例えばＡＴＭ装置にキャッシュカードを挿入して行う現金の引き出しや他口座への振込みなどである。なお、キャッシュカード出金可能残高とキャッシュカード出金不可能残高との和が預金口座残高になるので、キャッシュカード出金可能残高とキャッシュカード出金不可能残高の一方が分れば他方も分る。従って、例えばキャッシュカード出金可能口座データ記憶手段のみを設け、キャッシュカード出金不可能残高が必要なときには、預金口座残高からキャッシュカード出金可能残高を減算して求めてもよい。本発明はそのような構成も含むものであり、この場合、キャッシュカード出金可能口座データ記憶手段がキャッシュカード出金不可能口座データ記憶手段の役割をも果たしていると見ればよい。
【００１０】
キャッシュカード出金可能口座とキャッシュカード出金不可能口座との間で残高を移動できるようにするとよい。例えば、預金者が、パソコンや携帯電話などの端末を使用して、キャッシュカード出金可能口座残高とキャッシュカード出金不可能口座残高との間で指定した金額を移動できるようにする。
【００１１】
出金操作の終了後、キャッシュカード出金可能口座データ内の残高が０でなければ、そのキャッシュカード出金可能口座データ内の残高をキャッシュカード出金不可能口座データ内の残高に移し（増額し）、キャッシュカード出金可能残高データを０とする処理を行うようにしてもよい。
【００１２】
また、ＡＴＭ装置からキャッシュカードを利用した残高照会要求があったときには、キャッシュカードに記録されている口座番号に対応するキャッシュカード出金可能口座データを読み出し、そのキャッシュカード出金不可能残高を当該口座の残高としてＡＴＭ装置に送信する手段を備えるようにしてもよい。
【００１３】
さらに、キャッシュカードを使用した操作以外の例えば銀行窓口やインターネットバンキングによる入出金操作では、通常の預金者の預金口座に対して入出金操作を行うようにすればよい。
【００１４】
このような特徴を有する本発明のキャッシュカード出金管理システムにおいては、キャッシュカードでのＡＴＭ装置による現金の引き出しや他口座への振込み及び残高情報の表示操作時は、キャッシュカード出金不可能残高を格納したキャッシュカード出金不可能口座データには接続せず、キャッシュカード出金可能残高を格納したキャッシュカード出金可能口座データにしか接続しないため、通常キャッシュカード出金可能口座データのキャッシュカード出金可能残高を０としておき、預金者が実際にキャッシュカードを使用してＡＴＭ装置から現金の引き出しや他口座への振込みを行いたい場合は、出金する金額をキャッシュカード出金不可能口座データからキャッシュカード出金可能口座データに移動させるようにしておけばよく、また、出金した金額がキャッシュカード出金可能残高以下であっても、出金した後は自動的にキャッシュカード出金可能残高がキャッシュカード出金可能口座データからキャッシュカード出金不可能口座データに移動するので、キャッシュカード出金可能口座データのキャッシュカード出金可能残高は常に０となることで、ＡＴＭ装置からの出金はできなくなるため、キャッシュカードの偽造や盗難にあっても、被害を受けることはない。また、キャッシュカードでのＡＴＭ装置による現金の引き出しや他口座への振込み及び残高情報の表示以外の銀行窓口やインターネットバンキングによる入出金操作では、預金者の口座ファイルに対して入出金操作が行えるため、複数の口座を持つ必要もなくなる。
【発明の効果】
【００１５】
本発明によれば、預金者が複数の預金口座を開設することなく、預金口座をキャッシュカード出金可能口座とキャッシュカード出金不可能口座に分割して管理することができるため、キャッシュカードの偽造や盗難があっても、不正者は預金者がキャッシュカード出金可能口座内へ移動した金額の範囲内までしか引き落とすことができず、また、キャッシュカードによる引き出しの必要がない場合は、キャッシュカード出金可能口座の残高が０に保たれるため、引き落としができなくなることから被害を最小限に抑えることができる。
【発明を実施するための最良の形態】
【００１６】
以下、本発明の実施の形態について図面を参照しながら詳細に説明する。
【００１７】
図１は、本発明の実施の形態の一例を示すシステム構成図である。本システムは、銀行の勘定系システムの１システムもしくは１プログラムとして動作するキャッシュカード出金管理システム１と、キャッシュカード出金管理データベース（ＤＢ）２と、預金口座ＤＢ３を備える。預金口座ＤＢ３は、預金者ごとの預金口座データ３ａを備える。預金口座データ３ａは、キーとなる口座番号３ｂ、預金者の名前、及び預金口座残高３ｃなどからなる。キャッシュカード出金管理ＤＢ２は、預金者のキャッシュカード出金可能口座データ２ｃとキャッシュカード出金不可能口座データ２ｆを備える。キャッシュカード出金可能口座データ２ｃは、預金者の口座番号２ａ（口座番号３ｂと同じもの）と、キャッシュカード出金可能口座残高２ｂとを、格納する。キャッシュカード出金可能口座データ２ｃは、預金者によるＡＴＭ装置４からの現金の引き出しや他口座への振込み等の出金操作及び残高照会操作に対応するためデータである。キャッシュカード出金不可能口座データ２ｆは、預金者の口座番号２ｄ（口座番号３ｂと同じもの）と、キャッシュカード出金不可能口座残高２ｅとを、格納する。キャッシュカード出金不可能口座データ２ｆは、預金者によるＡＴＭ装置４での入出金操作を行わせない口座残高を保持するデータである。キャッシュカード出金可能口座２ｃ及びキャッシュカード出金不可能口座２ｆは、口座番号２ａ，２ｄとして預金口座の口座番号３ｂと同じものを用いるため、預金者が口座開設時または開設後の任意の契機で窓口やインターネットバンキングを利用して設けることができる。
【００１８】
図１のキャッシュカード出金管理システム１は、インターネット等の通信回線５に接続されており、預金者がキャッシュカード出金可能口座２ｃとキャッシュカード出金不可能口座２ｆとの間で残高の移動を行えるようにしている。具体的には、インターネット等の通信回線５を経由して、預金者のパソコン６あるいは携帯電話６等の端末により、現在の預金口座残高３ｃ、キャッシュカード出金可能口座残高２ｂ、及びキャッシュカード出金不可能残高２ｅの情報の表示、並びに、キャッシュカード出金可能口座２ｃとキャッシュカード出金不可能口座２ｆとの間での残高の移動を行うためのインタフェースを提供する。残高移動処理１ａは、後述する図５に示すような画面を用いた預金者からの残高移動指示により、キャッシュカード出金可能口座２ｃとキャッシュカード出金不可能口座２ｆとの間で残高を移動する処理を示す。
【００１９】
他に図１のキャッシュカード出金管理システム１は、出金処理１ｂ、入金処理１ｃ、残高照会処理１ｄ、終了処理１ｅ、及び預金口座入出金処理１ｆを備える。出金処理１ｂは、ＡＴＭ装置４からの現金の引き出しや他口座への振込み等の出金操作に対するキャッシュカード出金可能口座残高２ｂを用いた出金制御及びキャッシュカード出金可能口座残高更新を行う処理である。入金処理１ｃは、ＡＴＭ装置４からの自預金口座への振込みに関する入金操作に対するキャッシュカード出金不可能口座残高２ｃの更新を行う処理である。残高照会処理１ｄは、ＡＴＭ装置４からの残高照会操作に対するキャッシュカード出金可能口座２ｂの残高照会を行う処理である。終了処理１ｅは、ＡＴＭ装置４による現金の引き出し、他口座への振込み操作の終了時におけるキャッシュカード出金可能口座残高２ｂからキャッシュカード出金不可能口座残高２ｅへの残高の移動を行う処理である。預金口座入出金処理１ｆは、キャッシュカードを用いたＡＴＭ装置４による操作以外の銀行窓口やインターネットバンキングによる入出金操作時における、キャッシュカード出金可能口座残高２ｂ及びキャッシュカード出金可能残高２ｅの更新を行う処理である。
【００２０】
以下、以上のように構成されたキャッシュカード出金管理システムの動作を説明する。
【００２１】
図２は、キャッシュカード出金可能口座とキャッシュカード出金不可能口座との間で残高を移動するときの残高移動処理１ａを示したものである。預金者がキャッシュカードを使用しＡＴＭ装置による現金の引き出しや他口座への振込みに関する出金を行いたい場合、まずそのような出金の操作に先立って、預金者は、パソコンや携帯電話などの端末６を使用し、キャッシュカード出金管理システム１に接続し、キャッシュカード出金可能口座及びキャッシュカード出金不可能口座の操作を行うことを要求する（ステップＳ１）。キャッシュカード出金管理システム１では、預金口座データベース３に接続し、当該預金者の口座番号から預金口座データ３ａを求め、残高３ｃの取得を行い、次にキャッシュカード出金管理データベース２に接続し、預金者の口座番号からキャッシュカード出金可能口座データ２ｃとキャッシュカード出金不可能口座データ２ｆを求め、キャッシュカード出金可能口座の残高２ｂとキャッシュカード出金不可能口座の残高２ｅを取得し、図５に示す画面を生成して、預金者のパソコンや携帯電話などの端末６に出力する（ステップＳ２）。
【００２２】
図５の画面は、預金者の口座の残高値３ｃの表示領域７ａ、キャッシュカード出金可能口座の残高値２ｂを表示する領域７ｂ、キャッシュカード出金不可能口座の残高値２ｅを表示する領域７ｃ、キャッシュカード出金可能口座とキャッシュカード出金不可能口座との間で移動する金額を入力するフィールド７ｄ、入力した移動金額をキャッシュカード出金可能口座へ移動することを指示するためのボタン７ｅ、及び、入力した移動金額をキャッシュカード出金不可能口座へ移動することを指示するためのボタン７ｆで構成する。
【００２３】
図２に戻って、預金者がキャッシュカード出金可能口座とキャッシュカード出金不可能口座との間で移動する金額を入力するフィールド７ｄに所望の金額を入力し、キャッシュカード出金可能口座へ移動するためのボタン７ｅを押したとする。端末６は該操作を受け付け、該操作に応じた指示情報をキャッシュカード出金管理システム１に送信する（ステップＳ３）。その指示情報を受信したキャッシュカード出金管理システム１は、キャッシュカード出金不可能口座からキャッシュカード出金可能口座への金額の移動の指示と判断する（ステップＳ４）。次に、移動する金額７ｄとキャッシュカード出金不可能口座残高２ｅとを比較し（ステップＳ５）、移動金額７ｄがキャッシュカード出金不可能口座残高２ｅ以内であれば、キャッシュカード出金不可能口座残高２ｅからキャッシュカード出金可能口座残高２ｂへ預金者が入力した金額分を移動する（ステップＳ６）。具体的には、キャッシュカード出金不可能口座データの残高２ｅから移動金額７ｄを引いた金額をキャッシュカード出金不可能口座データの残高２ｅとし、キャッシュカード出金可能口座データの残高２ｂに移動金額７ｄを加えた金額をキャッシュカード出金可能口座データの残高２ｂとして更新する。移動する金額７ｄがキャッシュカード出金不可能口座の残高２ｅを超えている場合は（ステップＳ５）、移動する金額７ｄがキャッシュカード出金不可能口座の残高２ｅを超えているために金額の移動は不可能であることを示すメッセージを預金者のパソコンや携帯電話などの端末６に出力する（ステップＳ７）。
【００２４】
また、預金者がキャッシュカード出金不可能口座へ移動するためのボタン７ｆを押した場合、ステップＳ３ではその旨を示す指示情報がキャッシュカード出金管理システム１に送信され、キャッシュカード出金管理システム１では、キャッシュカード出金可能口座からキャッシュカード出金不可能口座への金額の移動の指示と判断する（ステップＳ４）。次に、移動する金額７ｄとキャッシュカード出金可能口座の残高２ｂとを比較し（ステップＳ８）、移動金額７ｄがキャッシュカード出金可能口座の残高２ｂ以内であれば、キャッシュカード出金可能口座残高２ｂからキャッシュカード出金不可能口座残高２ｅへ預金者が入力した金額分を移動する（ステップＳ９）。具体的には、キャッシュカード出金可能口座データの残高２ｂから移動金額７ｄを引いた金額をキャッシュカード出金可能口座データの残高２ｂとし、キャッシュカード出金不可能口座データの残高２ｅに移動金額７ｄを加えた金額をキャッシュカード出金不可能口座データの残高２ｅとして更新する。移動する金額７ｄがキャッシュカード出金可能口座の残高２ｂを超えている場合は（ステップＳ８）、移動する金額７ｄがキャッシュカード出金可能口座の残高２ｂを超えているために金額の移動は不可能であることを示すメッセージを預金者のパソコンや携帯電話などの端末６に出力する（ステップＳ７）。
【００２５】
図３は、キャッシュカードを使用したＡＴＭ装置からの現金の引き出しや他口座への振込み等の出金、自口座への入金、及び残高照会操作時の処理を示したものである。
【００２６】
預金者がキャッシュカードをＡＴＭ装置に挿入し、暗証番号の入力によりユーザ認証が行われると、ＡＴＭ装置に対する制御は、キャッシュカード出金管理システム１に切り替えられる。ＡＴＭ装置においてキャッシュカードから読み出した口座番号に対応する預金口座に対して入金操作が行われると、キャッシュカード出金管理システム１に入金要求（ステップＳ１１）が渡る。キャッシュカード出金管理システム１では、預金口座データベース３に接続し、キャッシュカードから読み出した口座番号から預金口座データ３ａを求め、預金口座データの残高３ｃに入金された金額を加えた金額を預金口座データの残高３ｃとして更新する（ステップＳ１２）。次に、キャッシュカード出金管理データベース２に接続し、キャッシュカードから読み出した口座番号に対応するキャッシュカード出金不可能口座データ２ｆを求め、キャッシュカード出金不可能口座データの残高２ｅに入金された金額を加えた金額をキャッシュカード出金不可能口座データの残高２ｅとして更新する（ステップＳ１３）。
【００２７】
ＡＴＭ装置において、残高照会の操作が行われると、キャッシュカード出金管理システム１にＡＴＭ装置からの残高照会要求（ステップＳ１４）が渡る。キャッシュカード出金管理システム１では、キャッシュカード出金管理データベース２に接続し、キャッシュカードから読み出した口座番号に対応するキャッシュカード出金可能口座データ２ｃを求め、キャッシュカード出金可能口座残高２ｂを取得し、ＡＴＭ装置に対し、キャッシュカード出金可能口座の残高２ｂを預金口座の残高として通知する（ステップＳ１５）。これにより、個人の資産情報である預金額が不当に外部に漏れることはなくなる。
【００２８】
ＡＴＭ装置において、現金の引き出しや他口座への振込みに関する出金操作が行われると、キャッシュカード出金管理システム１にＡＴＭ装置からの出金要求（ステップＳ１６）が渡る。キャッシュカード出金管理システム１では、キャッシュカード出金管理データベース２に接続し、キャッシュカードから読み出した口座番号に対応するキャッシュカード出金可能口座データ２ｃを求め、キャッシュカード出金可能口座残高２ｂを取得し、ＡＴＭ装置からの出金要求時に渡った出金額がキャッシュカード出金可能口座残高２ｂ以内であれば（ステップＳ１７）、ＡＴＭ装置での出金を許可する通知をＡＴＭ装置に対して行う（ステップＳ１９）。次に、キャッシュカード出金可能口座データの残高２ｂから出金額を引いた金額をキャッシュカード出金可能口座データの残高２ｂとして更新し（ステップＳ２０）、さらに預金口座データベース３に接続し、キャッシュカードから読み出した口座番号から預金口座データ３ａを求め、預金口座データの残高３ｃから出金額を引いた金額を預金口座データの残高３ｃとして更新する（ステップＳ２１）。ＡＴＭ装置からの出金要求時に渡った出金額がキャッシュカード出金可能口座残高２ｂを超えていた場合は（ステップＳ１７）、残高不足の通知をＡＴＭ装置に対して行う（ステップＳ１８）。キャッシュカード出金管理システム１では、キャッシュカードの使用者がＡＴＭ装置での出金操作を終了した後、キャッシュカード出金管理データベース２に接続し、キャッシュカードから読み出した口座番号に対応するキャッシュカード出金可能口座データ２ｃを求めて残高２ｂを取得し、残高２ｂが０でない場合は（ステップＳ２２）、キャッシュカード出金可能口座の当該残高２ｂをキャッシュカード出金不可能口座へ移動する（ステップＳ２３）。具体的には、キャッシュカードから読み出した口座番号に対応するキャッシュカード出金不可能口座データ２ｆを求めて残高２ｅを取得し、それにキャッシュカード出金可能口座データの残高２ｂを加えた金額をキャッシュカード出金不可能口座データの残高２ｅとして更新し、キャッシュカード出金可能口座データ２ｃの残高２ｂを０にして更新する。これにより、ＡＴＭ装置での出金操作が終わればキャッシュカード出金可能口座データ２ｃの残高２ｂは常に０となるため、この後に不正な現金の引き出しなどの出金操作が行われても、残高不足により出金操作は行えない。
【００２９】
図４は、キャッシュカードを用いたＡＴＭ装置による操作以外の銀行窓口やインターネットバンキングによる入出金操作時の処理を示したものである。
【００３０】
銀行窓口やインターネットバンキングにより、預金口座に入金が行われた場合、通常の取引業務を行う勘定システムで預金口座データ３ａの残高３ｃに入金されると、勘定システムからキャッシュカード出金管理システム１に制御が渡る。キャッシュカード出金管理システム１では、勘定システムからの要求が入金要求であれば（ステップＳ３１，Ｓ３２）、キャッシュカード出金管理データベース２に接続し、入金が行われた預金口座データ３ａの口座番号３ｂに対応するキャッシュカード出金不可能口座データ２ｆを求め、キャッシュカード出金不可能口座残高２ｅに入金額を増額する（ステップＳ３３）。具体的には、キャッシュカード出金不可能口座データ２ｆの残高２ｅに入金額を加えた金額をキャッシュカード出金不可能口座データ２ｆの残高２ｅとして更新する。
【００３１】
銀行窓口やインターネットバンキングにより、預金口座に出金が行われた場合、通常の取引業務を行う勘定システムで預金口座データ３ａの残高３ｃから出金されると、勘定システムからキャッシュカード出金管理システム１に制御が渡る。キャッシュカード出金管理システム１では、勘定システムからの要求が出金要求であれば（ステップＳ３１，Ｓ３４）、キャッシュカード出金管理データベース２に接続し、出金が行われた預金口座データ３ａの口座番号３ｂに対応するキャッシュカード出金不可能口座データ２ｆを求め、出金額がキャッシュカード出金不可能口座残高２ｅ以内であれば（ステップＳ３５）、キャッシュカード出金不可能口座残高２ｅから出金額分減額する（ステップＳ３６）。具体的には、キャッシュカード出金不可能口座データ２ｆの残高２ｅから出金額を引いた金額をキャッシュカード出金不可能口座データ２ｆの残高２ｅとして更新する。出金額がキャッシュカード出金不可能口座残高２ｅを超えている場合は、キャッシュカード出金管理データベース２に接続し、出金が行われた預金口座データ３ａの口座番号３ｂに対応するキャッシュカード出金可能口座データ２ｃを求め、キャッシュカード出金可能口座残高２ｂを０に更新する（ステップＳ３７）。次に、出金後の預金口座データ３ａの残高３ｃをキャッシュカード出金不可能口座データ２ｆの残高２ｅに格納する（ステップＳ３８）。
【図面の簡単な説明】
【００３２】
【図１】本発明の実施形態のシステム概略図
【図２】キャッシュカード出金可能口座への金額移動処理手順を示す図
【図３】キャッシュカードの使用による入出金処理手順を示す図
【図４】預金口座への入出金処理手順を示す図
【図５】端末に出力する画面例を示す図
【符号の説明】
【００３３】
１…キャッシュカード出金管理システム、１ａ…残高移動処理、１ｂ…出金処理、１ｃ…入金処理、１ｄ…残高照会処理、１ｅ…終了処理、１ｆ…預金口座入出金処理、２…キャッシュカード出金管理ＤＢ、２ａ…口座番号、２ｂ…キャッシュカード出金可能口座残高、２ｃ…キャッシュカード出金可能口座データ、２ｄ…口座番号、２ｅ…キャッシュカード出金不可能口座残高、２ｆ…キャッシュカード出金不可能口座データ、３…預金口座ＤＢ、３ａ…預金口座データ、３ｂ…口座番号、３ｃ…預金口座残高、４…ＡＴＭ装置、５…通信回線、６…端末。
【図１】
2007041734.tif 000003
【図２】
2007041734.tif 000004
【図３】
2007041734.tif 000005
【図４】
2007041734.tif 000006
【図５】
2007041734.tif 000007